(57)【要約】      （修正有）【課題】電力用オシロ装置等において、トリガ信号入力とトリガ信号出力を１本の配線で接続する。【解決手段】トリガ信号入出力回路は、送信用フォトカプラ４と受信用フォトカプラ３と、前記２つのフォトカプラをＯＮ／ＯＦＦを制御する制御部を備える。送信用フォトカプラの受光素子と受信用フォトカプラの発光素子を受信用フォトカプラの発光素子から、送信用フォトカプラの受光素子に電流が流れる向きに接続し、受信用の発光素子のアノード側を、抵抗を介してダイオードのカソード側に接続し、ダイオードのアノード側を、電源端子に接続し送信用フォトカプラの受光素子の電流出力端子をＧＮＤ端子に、他方の送信用フォトカプラの受光素子を受信用フォトカプラの発光素子のカソード側に接続し、送信用フォトカプラと受信用フォトカプラの接続点から、他の装置の前記接続点へ通信線を１本で接続する。【選択図】図１
2016139956.tif 000002
【特許請求の範囲】
【請求項１】
送信用フォトカプラと受信用フォトカプラと、前記２つのフォトカプラをＯＮ／ＯＦＦを制御する制御部を備え、送信用フォトカプラの受光素子と受信用フォトカプラの発光素子を前記受信用フォトカプラの発光素子から、前記送信用フォトカプラの受光素子に電流が流れる向きに接続し、
前記受信用の発光素子のアノード側を、抵抗を介してダイオードのカソード側に接続し、ダイオードのアノード側を  電源端子に接続し前記送信用フォトカプラの受光素子の電流出力端子をＧＮＤ端子に、他方の送信用フォトカプラの受光素子を受信用フォトカプラの発光素子のカソード側に接続し、前記送信用フォトカプラと受信用フォトカプラの接続点から、他の装置の前記接続点へ通信線を１本で接続したことを特徴とするトリガ信号入出力回路。
【発明の詳細な説明】
【技術分野】
【０００１】
この発明は、電力系統の電圧および電流の波形データを記録する電力用オシロ装置等に関し、詳しくは、他の装置とトリガ信号の入出力を行う為のトリガ信号入出力回路に関する。
【背景技術】
【０００２】
従来電力系統の事故発生時に、その解析を行うために、電力系統の所定箇所の電圧および電流の波形データを蓄積記憶するいわゆる電力用オシロ装置が用いられている。このような電力用オシロ装置は、入力した電圧および電流の信号を一定周期でサンプリングし、Ａ／Ｄ変換して、そのデータ列を電圧および電流の波形データとして蓄積記憶する。そうすることでたとえば短絡事故が起きた場合など、何らかの起動信号が入力され、その前後の一定期間にわたる波形データが保存されて、後に事故解析を行うことができる。
【０００３】
電力用オシロ装置は、信号入力チャンネルに系統の電圧信号、電流信号を入力し、これをサンプリングしてメモリに順次記憶していく。電力用オシロ装置は、さらに、接点入力チャンネルを備えており、この接点入力チャンネルに、系統の適当な箇所に設けられているリレー等の接点入力信号を入力する。
【０００４】
通常は、信号入力チャンネル、接点入力チャンネルは各々複数個設けられており、接点入力チャンネルのいずれかに入力している接点入力信号がオン（リレー接点がオン）すると、その信号をトリガ信号としてメモリに記憶されているサンプリングデータを所定期間分（トリガ信号の前後の所定期間分）含むオシロデータが生成されて出力される。
【０００５】
オシロサーバーでは、このオシロデータを収集して、系統での事故等発生時における波形解析を行うことが可能になる。
【先行技術文献】
【特許文献】
【０００６】
【特許文献１】特開２００７−２８５８５７
【発明の概要】
【発明が解決しようとする課題】
【０００７】
特許文献１に開示の技術は、電力系統の電圧および電流の波形データを記憶し、外部からのＤＣ要素入力に応じて生成されるオシロ起動信号および外部からのＡＣ要素入力外部からのＤＣ要素入力に応じて生成されるオシロ起動信号および外部からのＡＣ要素入力が事故検出用閾値を超えると生成されるオシロ起動信号に応じて、該記憶した波形データを外部に出力するオシロ装置であって、外部から入力されるＡＣ要素入力を前記事故検出用閾値よりも低いトリガ用閾値と比較して、該ＡＣ要素入力が該トリガ用閾値を超えるとトリガ用起動信号を生成するトリガ用起動信号生成部と、該トリガ用起動信号生成部から前記トリガ用起動信号が入力されると、所定の期間の前記電圧および電流の波形データを外部に出力する制御部とを具備することを特徴としている。
【０００８】
しかし、前記トリガ用起動信号を前記電力系統に分散された複数の他のオシロ装置に出力する場合には、トリガ用起動信号出力部がさらに必要になる。 前記他のオシロ装置からのトリガ用起動信号を受け取るトリガ用起動信号入力部がさらに必要になる。トリガ信号出力の為の回路とトリガ信号入力の為の回路とが別々にあり、トリガ信号の伝達に複数の信号線が必要になるという問題があった。
【０００９】
本発明の目的は、従来よりも簡単な構成によって、複数のオシロ装置間のトリガ信号を単一線で伝達するトリガ信号入出力回路を提供することにある。
【課題を解決するための手段】
【００１０】
電力系統の電圧および電流の信号を入力し、一定周期でサンプリングし、ＡＤ変換して、電圧および電流の波形データを蓄積記憶し、遮断器の動作前後の電圧および電流の波形データを記録するオシロ装置であって、前記オシロ装置は複数個あり、各々のオシロ装置起動インターフェイス端子は、オシロ装置間で相互に接続され、いずれかのオシロ装置の接点入力チャンネルに接点入力信号の入力があると、トリガ信号を生成して他のオシロ装置に出力回路の信号と他のオシロ装置の入力回路に入力する信号を共通にしたトリガ信号入出力回路を持つことを特徴とする。
【００１１】
具体的な構成としては、各々の装置に送信用フォトカプラと受信用フォトカプラと、それらのＯＮ／ＯＦＦを制御する制御部を備え、送信用フォトカプラの受光素子と受信用フォトカプラの発光素子を前記受信用フォトカプラの発光素子から、前記送信用フォトカプラの受光素子に電流が流れる向きに接続し、前記受信用の発光素子のアノード側を、抵抗を介してダイオードのカソード側に接続し、ダイオードのアノード側を電源端子に接続し前記送信用フォトカプラの受光素子の電流出力端子をＧＮＤ端子に、他方の送信用フォトカプラの受光素子を受信用フォトカプラの発光素子のカソード側に接続し、前記送信用フォトカプラと受信用フォトカプラの接続点から、他の装置の前記接続点へ通信線を１本で接続したことを特徴とするトリガ信号入出力回路を設けた。
【発明の効果】
【００１２】
本発明によれば、単一の信号線でトリガ信号を送受信する為、装置間の信号配線が簡略化できる。構成が簡単なため、トリガ信号の制御が容易である。
【図面の簡単な説明】
【００１３】
【図１】本発明のトリガ信号入出力回路の回路概略図
【図２】本発明のトリガ信号入出力回路のタイミングチャート
【発明を実施するための形態】
【実施例】
【００１４】
図１および図２を用いて本発明の実施例について説明する。図１は、本発明のトリガ信号入出力回路の概略回路図である。各回路に含まれるフォトカプラの受信側をＲ、フォトカプラの送信側をＴと定義し、複数ある装置のトリガ信号入出力回路は、それぞれＡ、Ｂ、Ｃと定義する。トリガ信号入出力回路Ａの受信用のフォトカプラ３は、受信用フォトカプラＲＡと定義できる。なお図１はトリガ信号入出力回路が、３つ接続されている状態を示している。そして、トリガ信号入出力回路Ｃ２１は、回路図を省略している。回路は、他のトリガ信号入出力回路と同じように構成されている。
【００１５】
フォトカプラのスイッチングを制御する為の制御部も同様に、受信側に係る制御信号側をＲ、送信側に係る制御信号側をＴと定義し、複数ある入出力回路は、Ａ、Ｂ、Ｃ、と定義する。
【００１６】
本発明の回路は、送信用フォトカプラＴと受信用フォトカプラＲと、前記２つのフォトカプラのＯＮ／ＯＦＦを制御する制御部を備え、送信用フォトカプラＴの受光素子と受信用フォトカプラＲの発光素子を前記受信用フォトカプラＲの発光素子から、前記送信用フォトカプラの受光素子に電流が流れる向きに接続し、前記受信用の発光素子のアノード側を、抵抗を介してダイオードのカソード側に接続し、ダイオードのアノード側を  電源端子に接続し前記送信用フォトカプラＴの受光素子の電流出力端子をＧＮＤ端子に、他方の送信用フォトカプラＴの受光素子を受信用フォトカプラＲの発光素子のカソード側に接続し、前記送信用フォトカプラＴと受信用フォトカプラＲの接続点から、他の装置の前記接続点へ通信線を１本で接続した構成である。
【００１７】
次に本発明のトリガ信号の動作について説明する。トリガ信号入出回路１の制御部２は、図示していない外部からの制御信号起動条件用信号を取り込み、各信号が条件を満たす値となる時点で、ロウレベル‘Ｌ’の制御信号ＴＡ（図１のア、図２のア）を出力することで、送信用フォトカプラ４（ＴＡ）がＯＮになる。これにより送信用フォトカプラ２Ａの受光素子側を通りグランドへ流れ込む電流が発生する。前記電流の値が徐々に増加し、フォトカプラ起動の閾値を超えた時点で各々のトリガ信号入出回路の受信用フォトカプラ３（ＲＡ）、受信用フォトカプラ１３（ＲＢ）、受信用フォトカプラ２３（ＲＣ）がＯＮになる。各々受信用フォトカプラ３（ＲＡ）、受信用フォトカプラ１３（ＲＢ）、受信用フォトカプラ２３（ＲＣ）からの信号を受けトリガ信号として各々の制御部に制御信号ＲＡ、制御信号ＲＢ、制御信号ＲＣとして入力される。図２のウを参照。
【００１８】
前記トリガ信号により、トリガが発生したとき（事故時等）の電気量を各々のメモリへ取り込む。トリガ信号は、伝送遅延、フォトカプラ遅延等を各々の装置により若干の遅延が発生するので、あらかじめ計測し、前記遅延分を各々の制御部にあらかじめ設定しておくことで、遅延等による計測タイミングのずれを補正することができる。
【００１９】
又、一般には、電源立ち上げ時に発生する不要電流による誤動作が発生することがある。トリガ信号入出力回路１がＯＦＦ状態で、他のトリガ信号入出力回路が電源ＯＮ状態であるときに、装置間トリガ信号入出力回路１の電源を立ち上げる。瞬時的に回路間の電源電圧Ｐが不平衡となり、その電位差により電流が発生する。上記電流によりフォトカプラ３（１Ａ）がＯＮになり、制御部へトリガ信号として伝達されるので、不要動作が発生する。本実施例では、適切な値の整流器を設けることで、前記不要電流を抑制し、誤動作を防止している。
【産業上の利用可能性】
【００２０】
この発明は、例えば、電力系統の電圧および電流の波形データを記録する電力用オシロ装置に適応できる。その他の用途の装置間のトリガ信号伝達を行う場合はもちろんのこと、回路間のトリガ信号伝達にも利用することができる。
【符号の説明】
【００２１】
１    トリガ信号入出力回路Ａ
２    制御部Ａ
３    受信用フォトカプラＲＡ
４    送信用フォトカプラＴＡ
５    伝送線
１１  トリガ信号入出力回路Ｂ
１２  制御部Ｂ
１３  受信用フォトカプラＲＢ
１４  送信用フォトカプラＴＢ
２１  トリガ信号入出力回路Ｃ
【図１】
2016139956.tif 000003
【図２】
2016139956.tif 000004